(57)【要約】【課題】防犯センサの構造に詳しくない人でも赤外線検知感度を容易に落とすことができる防犯センサを提供する。【解決手段】カバー部１Ｂの内部に、人体から発される赤外線を減衰させる減衰カバー１Ｃを取り付けて使用する構造にしている。【選択図】図１
2005157607.tif 000002
【特許請求の範囲】
【請求項１】
人体から発される赤外線を反射する反射板と、この反射板により反射された赤外線を検知する検知素子とを少なくとも含む感知部を配設した本体部を、カバー部で覆った構造とした防犯センサにおいて、
上記カバー部の内部には、人体から発される赤外線を減衰させる、減衰カバーを取り付けできる構成とした防犯センサ。
【請求項２】
請求項１において、
上記減衰カバーの適所には引っ掛け爪を設け、上記本体部に形成した凹所に係止する構造にしている防犯センサ。
【請求項３】
請求項１または２において、
上記減衰カバーには、孔部を形成している防犯センサ。
【請求項４】
請求項１または２において、
上記カバー部には、減衰率の異なる複数の減衰カバーを取り付け可能としている防犯センサ。
【請求項５】
請求項１または２において、
上記減衰カバーには、赤外線を透過しないテープを貼り付けるようにしている防犯センサ。
【請求項６】
請求項１〜５において、
上記減衰カバーは、赤外線の減衰量の異なるものが予め複数準備されており、
それらのうちから選択された少なくとも１つの減衰カバーを、上記カバー部の内部に取付けできる構造にしている防犯センサ。
【発明の詳細な説明】
【技術分野】
【０００１】
本発明は、人体から発される赤外線を検知する感知部を備えた本体部を、カバー部で覆った構造にしている防犯センサの改良に関する。
【背景技術】
【０００２】
近時、天井面に取り付けて使用する下記特許文献１に示すような防犯センサが広く使用されている。
【０００３】
この防犯センサ１００は、図６に示すように、天井面に取り付けるセンサ本体１００Ａを、ドーム型のカバー部１００Ｂで覆い、カバー部１００Ｂを通じて入力される人体からの赤外線Ｒを、本体１００Ａに設けた検知素子１２０で検知し、所定量の赤外線を検知すると報知信号を出力する構造になっている。
【０００４】
赤外線感知部１１０は、カバー部１００Ｂを通じて入力される赤外線Ｒを反射板１３０で反射させ、これを検知素子１２０で検知し、電気信号に変換して制御手段に入力する。制御手段においては、電気信号のレベルが所定量を超えると、その検知素子１２０が人体検知をしたと判断する。
【０００５】
そして、１つの検知素子１２０が１つの監視エリアを構成するように設定している場合には動作表示灯を動作させ、メモリ表示灯を動作させる。また、複数の検知素子１２０で１つの監視エリアを構成するように設定している場合には、これら複数の検知素子１２０が順次人体検知したと判断した場合に、動作表示灯を動作させ、メモリ表示灯を動作させる。
【０００６】
このような防犯センサ１００では、その設置場所が、喫煙室や給湯室など熱源のある場合、その赤外線を検知して誤報知を起こすおそれがあるので、使用目的に応じて感度を調整する必要があり、そのため、従来では、反射面の一部などに赤外線を減衰させる作用のあるテープを貼り付けて、１つの監視エリアあるいは、監視エリアの一部分については不感知となるように調整して使用している。また、下記特許文献には、厚みの異なる複数種類のカバー部を準備し、使用目的に応じて、カバーそれ自体を交換して使用するようにしたものが提案されている。
【特許文献１】特開平８−４３１９４号公報
【発明の開示】
【発明が解決しようとする課題】
【０００７】
ところが、反射板にテープを貼るのは、近時の防犯センサの小型化により反射板も小型化しているのでその作業が困難であった。
【０００８】
一方で、赤外線素子のゲインを下げるという方法もあるが、この方法では、検知素子自体の検知能力が低下するため、監視エリアの一部を感度低下させて使用できず、融通性に劣っていた。
【０００９】
本発明は、上記事情を考慮してなされたものであり、赤外線検知感度を簡易な方法でレベルダウンさせることができ、更に、その感度調節が、監視エリア毎、あるいは、一エリアの部分ごとにも容易にできる防犯センサを提供することを目的としている。
【課題を解決するための手段】
【００１０】
上記目的を達成するために、本発明の請求項１では、人体から発される赤外線を反射する反射板と、この反射板により反射された赤外線を検知する検知素子とを少なくとも含む感知部を配設した本体部を、カバー部で覆った構造とした防犯センサにおいて、カバー部の内部には、人体から発される赤外線を減衰させる、減衰カバーを取り付けできる構成とした。
【００１１】
請求項２では、減衰カバーの適所には引っ掛け爪を設け、上記本体部に形成した凹所に係止する構造にしている。請求項３では、減衰カバーには、孔部を形成している。
【００１２】
請求項４では、カバー部には、減衰率の異なる複数の減衰カバーを取り付け可能としている。請求項５では、減衰カバーには、赤外線を透過しないテープを貼り付けるようにしている。
【００１３】
請求項６では、減衰カバーは、赤外線の減衰量の異なるものが予め複数準備されており、それらのうちから選択された少なくとも１つの減衰カバーを、カバー部の内部に取付けできる構造にしている。
【発明の効果】
【００１４】
本発明の請求項１によれば、本体カバー部の内部には、人体から発される赤外線を減衰させる減衰カバーを取り付けできるので、防犯センサの構造に詳しくない人でも、容易に赤外線検知感度を落とすことができる。
【００１５】
請求項２によれば、減衰カバーの適所には引っ掛け爪を設けるとともに、本体カバー部の適所には、引っ掛け爪が嵌合する凹所を設けているので、減衰カバーをワンタッチで取り付けることができる。このため、センサの施工後に検知感度を調整する場合、必要に応じて減衰カバーを簡単に取り付けることができる。
【００１６】
請求項３によれば、減衰カバーは部分的に切り取って使用されるので、切り取った部分のみ赤外線を減衰しないようにでき、部分的には感度を落とさないようにできる。
【００１７】
請求項４によれば、本体カバー部には、減衰率の異なる複数の減衰カバーを取り付け可能としているので、減衰カバーの組み合わせによって自在に赤外線の減衰率を変化させることができ、利便である。
【００１８】
請求項５によれば、減衰カバーには、赤外線を透過しないテープを貼り付ける構成なので、監視エリアに熱源があっても容易にその熱源による悪影響を防止できる。
【００１９】
請求項６によれば、本体カバー部の内部には、人体から発される赤外線を減衰させる減衰カバーを減衰率に応じて選択的に取り付けできる構成としているので、設置場所の条件に応じて、検知感度の調整が容易にできる。
【発明を実施するための最良の形態】
【００２０】
以下に、本発明の実施の形態について説明する。
【実施例１】
【００２１】
図１は、本発明の概略構成の一例について示す図である。この防犯センサ１は、赤外線検知部１０を含むセンサ本体１Ａに、ドーム型の本体カバー部１Ｂを被せる構造としている。センサ本体１Ａを覆うドーム型のカバー部１Ｂの内部には、外部からの赤外線を減衰させる減衰カバー１Ｃを取り付けるようにしている。この減衰カバーは、ドーム型のカバー部の形状に合わせて形成されており、材質として、ポリエチレンなどが考えられる。
【００２２】
したがって、センサ本体１Ａとカバー部１Ｂとの間には減衰カバー１Ｃが介在しており、外部から発される赤外線は減衰カバー１Ｃにより減衰されてから、赤外線検知部１０に達するようになっている。
【００２３】
このようなものでは、減衰カバー１Ｃを本体部１Ａの内部への取り付け態様は、図２に示すようにしている。
【００２４】
すなわち、減衰カバー１Ｃの適所には、引っ掛け爪１Ｃ１を設けてあり、その引っ掛け爪１Ｃ１を、本体カバー１Ｂの適所に設けた凹所１Ｂ１に引っ掛ければ、本体カバー１Ｂと減衰カバー１Ｃとが組み合わさり、減衰カバー１Ｃが本体カバー部１Ｂの内部に位置する状態となる。
【００２５】
このように、カバー部１Ｂの内部に減衰カバー１Ｃを取り付け、カバー部１Ｂと減衰カバー１Ｃとを一体的に本体部１Ａに取り付ける構成としているので、防犯センサ１の構造に詳しくない人でも、容易に赤外線検知感度を低下させることができる。
【００２６】
また、この構造によれば、カバー部１Ｂに減衰カバー１Ｃを取り付けるには、減衰カバー１Ｃの引っ掛け爪１Ｃ１を、カバー部１Ｂの凹所１Ｂ１に引っ掛けるだけでできるので、減衰カバー１Ｃをカバー部１Ｂにワンタッチで取り付けることができ、防犯センサ１の施工後に検知感度を調整する場合、必要に応じて減衰カバー１Ｃを簡単に取り付けることができる。
【実施例２】
【００２７】
図３は、本発明の他の実施例を示す図である。
ここでは、減衰カバー１Ｃを部分的に切り取って、切り取り部１Ｃ２を作っている。こうすれば、部分的に赤外線の減衰のないカバーが構成でき、この切り取り部１Ｃ２を通って入力された赤外線は何ら減衰させられることなく到達する。
【００２８】
図４は、この態様を更に詳細に説明する図である。
ここでは、切り取り部１Ｃ２を通過した赤外線Ｒ１はまったく減衰されることなく、反射板１３に到達し、検知素子１２で検知されるが、切り取り部１Ｃ２以外の場所を通った赤外線Ｒ２は、減衰カバー１Ｃの作用によって減衰されて反射板１３に到達する。
【００２９】
全体の赤外線レベルは落としたいが、一部分のレベルを落としたくない場合には、この手法が有益である。
【００３０】
また、減衰カバー１Ｃにおいて、切り取り部１Ｃ２を設けるのではなく、減衰カバー１Ｃの適所にテープなど、減衰率の高い材質を貼り付けることによって、その部分だけは赤外線の減衰率を高くすることもでき、これにより、近隣に熱源がある場合、その赤外線を受けそうな箇所にテープを貼っておけば、その箇所だけは検知しにくくなり、熱源による誤作動を防止できる。
【実施例３】
【００３１】
図５は、本発明の更に他の実施例を示す図である。
【００３２】
ここでは、減衰カバー１Ｃを複数組み合わせてカバー部１Ｂに取り付けている。
複数組み合わせる減衰カバー１Ｃは、減衰率が互いに同じか、互いに異なるものを組み合わせている。そのため、それぞれの減衰カバー１Ｃをカバー部１Ａに取り付け可能にするため、カバー部１Ｂの適所には、それぞれの減衰カバー１Ｃの引っ掛け部１Ｃ１を引っ掛ける凹所１Ｂ１を、複数個設けている。減衰率の調整は、減衰カバーの厚みを変える以外に、減衰カバー１Ｃに減衰材料を分散混入させてもよい。
【００３３】
このような構成にすると、複数の減衰カバー１Ｃの組み合わせによって減衰率を自在に設定できるという利点がある。
【００３４】
なお、本体カバー１Ａをそれぞれ厚み違いのものを複数個用意しておき、その厚みに応じて、１または複数の減衰カバー１Ｃを選択的に取り付けできるようにしてもよい。すなわち、減衰率に応じて減衰カバー１Ｃの厚みが異なったり、減衰カバー１Ｃを複数組み合わせれば厚みも増すから、それに対応し、厚みの異なるカバー部１Ａを用意しておく。そうすれば、減衰カバー１Ｃの厚みが増しても、対応するカバー部１Ａを採用すればよいから、設置場所の熱源などの条件に合わせて、柔軟に赤外線検知の感度調整をすることができる。
【図面の簡単な説明】
【００３５】
【図１】本発明の防犯センサの概略構成の一例を示す図
【図２】減衰カバーの本体カバー部への取り付け態様を示す図
【図３】本発明の防犯センサの他の実施例を示す図
【図４】その使用状態を示す図
【図５】本発明の更に他の実施例を示す図
【図６】従来の防犯センサの構成を示す図
【符号の説明】
【００３６】
１・・・防犯センサ
１Ａ・・・センサ本体部
１Ｂ・・・本体カバー部
１Ｃ・・・減衰カバー
１Ｂ１・・・凹部
１Ｃ１・・・引っ掛け爪
１Ｃ２・・・切り取り部
１２・・・検知素子
１３・・・反射板
【図１】
2005157607.tif 000003
【図２】
2005157607.tif 000004
【図３】
2005157607.tif 000005
【図４】
2005157607.tif 000006
【図５】
2005157607.tif 000007
【図６】
2005157607.tif 000008